(57)【特許請求の範囲】
【請求項１】
インターレース読み出しモードと全画素読み出しモードとに動作モードを切り換えて撮像信号を出力可能な固体イメージセンサと、
上記固体イメージセンサから撮像信号が供給される撮像信号処理手段と、
上記撮像信号処理手段から撮像信号が供給され、上記固体イメージセンサから全画素読み出しモードで読み出された撮像信号をインターレース信号に変換する走査変換手段と、
上記撮像信号処理手段又は走査変換手段から供給される撮像信号を第１の記録媒体に記録する第１の記録手段と、
上記撮像信号処理手段から供給される撮像信号を第２の記録媒体に記録する第２の記録手段と、
上記撮像信号を上記第１の記録媒体に記録する第１の記録モードと上記第２の記録媒体に記録する第２の記録モードとを設定する記録モード設定手段と、
上記固体イメージセンサの動作モードとともに上記第１の記録手段への入力を切り換える制御を行う制御手段を備え、
上記第１の記録モードにおいて、上記固体イメージセンサの動作モードの切り換え及び上記第１の記録手段への入力の切り換えを制御することにより、上記固体イメージセンサからインターレース読み出しモードで読み出された撮像信号は上記走査変換手段を介することなく上記第１の記録媒体に記録し、上記固体イメージセンサから全画素読み出しモードで読み出された撮像信号は上記走査変換手段によりインターレース信号に変換して上記第１の記録媒体に記録し、
上記記録モード設定手段により上記第２の記録モードが設定されると、上記制御手段は、上記固体イメージセンサの動作モードを強制的に全画素読み出しモードに設定し、
上記第２の記録モードにおいて、上記固体イメージセンサから全画素読み出しモードで読み出された撮像信号を上記走査変換手段を介することなく上記第２の記録媒体に記録することを特徴とする画像記録装置。
【請求項２】
記録媒体への動画記録を指示するための第１の操作手段と、
記録媒体への静止画記録を指示するための第２の操作手段とを備え、
上記制御手段は、上記第１の記録媒体へ動画を記録している間に上記第２の操作手段が操作された場合は、上記第１の記録媒体へ静止画を記録するよう制御を行うことを特徴とする請求項１に記載の画像記録装置。
【請求項３】
上記制御手段は、上記第２の操作手段が操作されてから所定期間の静止画を記録するよう制御を行うことを特徴とする請求項２に記載の画像記録装置。
【請求項４】
上記制御手段は、上記第１の記録媒体へ動画を記録している間に上記第２の操作手段が操作された場合は、上記第１の記録媒体へ静止画とともに音声を記録するよう制御を行なうことを特徴とする請求項２に記載の画像記録装置。
【請求項５】
インターレース読み出しモードと全画素読み出しモードとに動作モードを切り換えて撮像信号を出力可能な固体イメージセンサと、上記固体イメージセンサから撮像信号が供給される撮像信号処理手段と、上記撮像信号処理手段から撮像信号が供給され、上記固体イメージセンサから全画素読み出しモードで読み出された撮像信号をインターレース信号に変換する走査変換手段と、上記撮像信号処理手段又は走査変換手段から供給される撮像信号を第１の記録媒体に記録する第１の記録手段と、上記撮像信号処理手段から供給される撮像信号を第２の記録媒体に記録する第２の記録手段と、上記撮像信号を上記第１の記録媒体に記録する第１の記録モードと上記第２の記録媒体に記録する第２の記録モードとを設定する記録モード設定手段と、上記固体イメージセンサの動作モードとともに上記第１の記録手段への入力を切り換える制御を行う制御手段を備える画像記録装置における画像記録方法であって、
上記第１の記録モードにおいて、上記固体イメージセンサの動作モードの切り換え及び上記第１の記録手段への入力の切り換えを制御することにより、上記固体イメージセンサからインターレース読み出しモードで読み出された撮像信号は上記走査変換手段を介することなく上記第１の記録媒体に記録し、上記固体イメージセンサから全画素読み出しモードで読み出された撮像信号は上記走査変換手段によりインターレース信号に変換して上記第１の記録媒体に記録し、
上記記録モード設定手段により上記第２の記録モードが設定されると、上記制御手段は、上記固体イメージセンサの動作モードを強制的に全画素読み出しモードに設定し、
上記第２の記録モードにおいて、上記固体イメージセンサから全画素読み出しモードで読み出された撮像信号は上記走査変換手段を介することなく上記第２の記録媒体に記録することを特徴とする画像記録方法。
【請求項６】
記録媒体への動画記録を指示するための第１の操作手段、または、記録媒体への静止画記録を指示するための第２の操作手段の操作に応じて記録媒体への記録を制御し、
上記第１の記録媒体へ動画を記録している間に上記第２の操作手段が操作された場合は、上記第１の記録媒体へ静止画を記録することを特徴とする請求項５に記載の画像記録方法。
【請求項７】
上記第２の操作手段が操作されてから所定期間の静止画を記録することを特徴とする請求項６に記載の画像記録方法。
【請求項８】
上記第１の記録媒体へ動画を記録している間に上記第２の操作手段が操作された場合は、上記第１の記録媒体へ静止画とともに音声を記録することを特徴とする請求項６に記載の画像記録方法。
【発明の詳細な説明】
【０００１】
【発明の属する技術分野】
本発明は、固体イメージセンサの動作モードをインターレース読み出しモードと全画素読み出しモードとに切り換えて撮像を行い記録媒体に記録する画像記録装置及び画像記録方法に関する。
【０００２】
【従来の技術】
従来、ＮＴＳＣ(National Television Systems Committee) 方式やＰＡＬ(Phase Alternation by Line) 方式などの標準テレビジョン方式に準拠した撮像装置は、撮像部からインターレース読み出しされた撮像信号を得て、所定の標準テレビジョン方式の映像信号として出力するようになっている。そして、ビデオカセットレコーダ（video cassette recorder; VCR）やカメラ一体型のビデオテープレコーダ（video tape recorder; VTR）いわゆるカムコーダでは、インターレースされた撮像信号から生成された所定の標準テレビジョン方式の映像信号による動画像を取り扱うようになっている。また、カムコーダにおいて、静止画を取り扱う場合、インターレース読み出しされたされた撮像信号は２フィールドで１フレームの画像を構成しているのでフィールド間の時間的なズレが画質劣化となってしまうので、インターレース信号をプログレススキャン信号に変換して、静止画の記録／再生を行うようにしている。
【０００３】
これに対し、静止画専用の電子スチルカメラ等では、プログレススキャン対応の固体イメージセンサから全画素読み出しにより高画質の静止画撮像信号を得て、記録媒体に記録するようになっている。
【０００４】
【発明が解決しようとする課題】
ところで、従来のカムコーダは、インターレース読み出しモードにしか対応しておらず、インターレース読み出しモードと全画素読み出しモードの双方に対応した撮像信号を得て記録することはできない。
【０００５】
そこで、本発明の目的は、全画素読み出しモードにより高画質の静止画撮像信号を得て、インターレース読み出しモードに対応した記録動作を行う記録手段により記録媒体に記録できるようにした画像記録装置及び画像記録方法を提供することにある。
【０００６】
【課題を解決するための手段】
本発明に係る画像記録装置は、インターレース読み出しモードと全画素読み出しモードとに動作モードを切り換えて撮像信号を出力可能な固体イメージセンサと、上記固体イメージセンサから撮像信号が供給される撮像信号処理手段と、上記撮像信号処理手段から撮像信号が供給され、上記固体イメージセンサから全画素読み出しモードで読み出された撮像信号をインターレース信号に変換する走査変換手段と、上記撮像信号処理手段又は走査変換手段から供給される撮像信号を第１の記録媒体に記録する第１の記録手段と、上記撮像信号処理手段から供給される撮像信号を第２の記録媒体に記録する第２の記録手段と、上記撮像信号を上記第１の記録媒体に記録する第１の記録モードと上記第２の記録媒体に記録する第２の記録モードとを設定する記録モード設定手段と、上記第１の記録モードにおいて、上記固体イメージセンサの動作モードの切り換え及び上記第１の記録手段への入力の切り換えを制御することにより、上記固体イメージセンサからインターレース読み出しモードで読み出された撮像信号は上記走査変換手段を介することなく上記第１の記録媒体に記録し、上記固体イメージセンサから全画素読み出しモードで読み出された撮像信号は上記走査変換手段によりインターレース信号に変換して上記第１の記録媒体に記録し、上記記録モード設定手段により上記第２の記録モードが設定されると、上記制御手段は、上記固体イメージセンサの動作モードを強制的に全画素読み出しモードに設定し、上記第２の記録モードにおいて、上記固体イメージセンサから全画素読み出しモードで読み出された撮像信号を上記走査変換手段を介することなく上記第２の記録媒体に記録することを特徴とする。
本発明に係る画像記録装置は、例えば、記録媒体への動画記録を指示するための第１の操作手段と、記録媒体への静止画記録を指示するための第２の操作手段とを備え、上記制御手段は、上記第１の記録媒体へ動画を記録している間に上記第２の操作手段が操作された場合は、上記第１の記録媒体へ静止画を記録するよう制御を行う。
本発明に係る画像記録装置において、上記制御手段は、例えば、上記第２の操作手段が操作されてから所定期間の静止画を記録するよう制御を行う。
また、本発明に係る画像記録装置において、上記制御手段は、例えば、上記第１の記録媒体へ動画を記録している間に上記第２の操作手段が操作された場合は、上記第１の記録媒体へ静止画とともに音声を記録するよう制御を行なう。
本発明は、インターレース読み出しモードと全画素読み出しモードとに動作モードを切り換えて撮像信号を出力可能な固体イメージセンサと、上記固体イメージセンサから撮像信号が供給される撮像信号処理手段と、上記撮像信号処理手段から撮像信号が供給され、上記固体イメージセンサから全画素読み出しモードで読み出された撮像信号をインターレース信号に変換する走査変換手段と、上記撮像信号処理手段又は走査変換手段から供給される撮像信号を第１の記録媒体に記録する第１の記録手段と、上記撮像信号処理手段から供給される撮像信号を第２の記録媒体に記録する第２の記録手段と、上記撮像信号を上記第１の記録媒体に記録する第１の記録モードと上記第２の記録媒体に記録する第２の記録モードとを設定する記録モード設定手段と、上記固体イメージセンサの動作モードとともに上記第１の記録手段への入力を切り換える制御を行う制御手段を備える画像記録装置における画像記録方法であって、上記第１の記録モードにおいて、上記固体イメージセンサの動作モードの切り換え及び上記第１の記録手段への入力の切り換えを制御することにより、上記固体イメージセンサからインターレース読み出しモードで読み出された撮像信号は上記走査変換手段を介することなく上記第１の記録媒体に記録し、上記固体イメージセンサから全画素読み出しモードで読み出された撮像信号は上記走査変換手段によりインターレース信号に変換して上記第１の記録媒体に記録し、上記記録モード設定手段により上記第２の記録モードが設定されると、上記制御手段は、上記固体イメージセンサの動作モードを強制的に全画素読み出しモードに設定し、上記第２の記録モードにおいて、上記固体イメージセンサから全画素読み出しモードで読み出された撮像信号は上記走査変換手段を介することなく上記第２の記録媒体に記録することを特徴とする。
本発明に係る画像記録方法では、例えば、記録媒体への動画記録を指示するための第１の操作手段、または、記録媒体への静止画記録を指示するための第２の操作手段の操作に応じて記録媒体への記録を制御し、上記第１の記録媒体へ動画を記録している間に上記第２の操作手段が操作された場合は、上記第１の記録媒体へ静止画を記録する。
また、本発明に係る画像記録方法では、例えば、上記第２の操作手段が操作されてから所定期間の静止画を記録する。
さらに、本発明に係る画像記録方法では、例えば、上記第１の記録媒体へ動画を記録している間に上記第２の操作手段が操作された場合は、上記第１の記録媒体へ静止画とともに音声を記録する。
【０００７】
【発明の実施の形態】
以下、本発明の実施の形態について、図面を参照して詳細に説明する。
【０００８】
本発明は、例えば図１に示すような構成のカムコーダ１００に適用される。このカムコーダ１００は、撮像部１と又はラインイン信号処理回路２から画像信号が供給されるＩ／Ｆ処理・画像ＭＩＸ回路３、このＩ／Ｆ処理・画像ＭＩＸ回路３にＤＶ記録再生信号処理回路４を介して接続された記録再生部５及び表示部６、上記Ｉ／Ｆ処理・画像ＭＩＸ回路３に圧縮伸長回路７を介して接続されたＩ／Ｆ処理回路８、上記Ｉ／Ｆ処理回路８にＰＣＭＣＩＡ（personal computer memory card international association ）コネクタ９を介して着脱自在に接続されたＰＣＭＣＩＡメモリカード１０、これらを制御する制御部１１、この制御部１１に接続された操作ブロック１２等からなる。
【０００９】
上記撮像部１は、その概略構成を図２に示してあるように、撮像レンズ２１から絞り２２を介して入射される撮像光が撮像光が入射されるＣＣＤイメージセンサ２３を備え、このＣＣＤイメージセンサ２３により撮像出力として得られる撮像信号がカメラ信号処理回路２４を介して出力されるようになっている。
【００１０】
上記絞り２２は、カメラ制御用マイクロコンピュータ２５から絞り制御信号が与えられる絞り駆動回路２６に接続された絞り駆動部２７によって駆動されるようになっている。
【００１１】
また、上記ＣＣＤイメージセンサ２３は、センサーゲート信号や転送クロックなどの各種タイミング信号がタイミング信号発生器２８から与えられることにより駆動されるようになっている。
【００１２】
上記カメラ信号処理回路２４及びタイミング信号発生器２８は、上記カメラ制御用マイクロコンピュータ２５から与えられる制御信号によって動作モードが切り換えられるようになっている。
【００１３】
上記ＣＣＤイメージセンサ２３は、その構造を図３に模式的に示してあるように、画素に対応してマトリクス上に配設された各フォトセンサＳと、各フォトセンサＳにより得られる各画素の撮像電荷が読み出される垂直転送レジスタＶＲと、各画素の撮像電荷が上記垂直転送レジスタＶＲを介して水平ライン毎に転送されてくる水平転送レジスタＨＲを備え、各画素の撮像電荷が上記水平転送レジスタＨＲから水平ライン毎に出力部ＳＯを介して撮像信号として出力されるようになっている。このＣＣＤイメージセンサ２３は、原理的に全画素読み出しのＣＣＤイメージャであって、上記垂直転送レジスタＶＲが水平ラインにおける画素数に等しい本数設けられているとともに、各垂直転送レジスタＶＲはそれぞれ垂直ラインにおける全画素数に等しい転送段数を有する。
【００１４】
そして、上記タイミング信号発生器２８は、上記カメラ制御用マイクロコンピュータ２５から与えられる制御信号によって全画素読み出しモードが設定されると、図４に示すように、２フィールド（２Ｖ）すなわち１フレーム周期（１Ｆ）のセンサゲート信号ＳＧと、１水平走査周期（１Ｈ）の垂直転送クロックＣＫＶと、水平ラインにおける画素数に対応する周波数の水平転送クロックＣＫＨを生成して、上記ＣＣＤイメージセンサ２３を全画素読み出しモードで駆動する。
【００１５】
すなわち、全画素読み出しモードでは、上記ＣＣＤイメージセンサ２３の各フォトセンサＳにより得られる各画素の撮像電荷をセンサゲート信号ＳＧによって垂直転送レジスタＶＲに２フィールドすなわち１フレーム期間（１Ｆ）毎に読み出し、上記垂直転送レジスタＶＲに読み出した全画素の撮像電荷を１水平走査期間（１Ｈ）毎に１水平ラインずつ水平転送レジスタＨＲに転送して、各画素の撮像電荷を上記水平転送レジスタＨＲから水平ライン毎に出力部ＳＯを介して撮像信号として出力することにより、全画素の撮像電荷によるプログレススキャン信号として＃１，＃２，＃３・・・順に各水平ラインの撮像信号を得ることができる。
【００１６】
また、上記タイミング信号発生器２８は、上記カメラ制御用マイクロコンピュータ２５から与えられる制御信号によってインターレース読み出しモードが設定されると、図５に示すように、１フィールド周期（１Ｖ）のセンサゲート信号ＳＧと、１水平走査期間（１Ｈ）毎に２発連続した垂直転送クロックＣＫＶと、水平ラインにおける画素数に対応する周波数の水平転送クロックＣＫＨを生成して、上記ＣＣＤイメージセンサ２３をインターレース読み出しモードで駆動する。
【００１７】
すなわち、インターレース読み出しモードでは、上記ＣＣＤイメージセンサ２３の各フォトセンサＳにより得られる各画素の撮像電荷をセンサゲート信号ＳＧによって垂直転送レジスタＶＲに１フィールド期間（１Ｖ）毎に読み出し、上記垂直転送レジスタＶＲに読み出した全画素の撮像電荷を１水平走査期間（１Ｈ）毎に２水平ラインずつ水平転送レジスタＨＲに転送して、垂直ライン上で隣接する２画素分の電荷を上記水平転送レジスタＨＲにおいて加算合成することにより、水平ライン数を１／２に減少させた各画素の撮像電荷を上記水平転送レジスタＨＲから水平ライン毎に出力部ＳＯを介して撮像信号として出力することにより、全画素の撮像電荷からインターレース信号として撮像信号を得ることができる。上記水平転送レジスタＨＲにおいて加算合成する垂直ライン上で隣接する２画素分の電荷の組合せを奇数フィールドと偶数フィールドで異ならしめることにより、奇数フィールドでは＃１，＃２＋＃３，＃４＋＃５・・・の順に２ライン分を混合した各水平ラインの撮像信号を得ることができ、偶数フィールドでは＃１＋＃２，＃３＋＃４，・・・の順に２ライン分を混合した各水平ラインの撮像信号を得ることができる。
【００１８】
そして、このカムコーダ１００において、上記Ｉ／Ｆ処理・画像ＭＩＸ回路３は、上記撮像部１及びラインイン信号処理回路２から入力される信号に対するインターフェース処理を行うとともに、各信号の混合を行う。
【００１９】
また、上記Ｉ／Ｆ処理・画像ＭＩＸ回路３は、上記制御部１１により上記撮像部１のＣＣＤイメージセンサ２３とともに動作モードが切り換えられ、全画素読み出しモード時には、図６に示すように、上記撮像部１のＣＣＤイメージセンサ２３から全画素読み出しモードで読み出された撮像信号をインターレース信号に変換してＤＶ記録再生信号処理回路４に供給し、インターレース読み出しモード時には上記ＣＣＤイメージセンサ２３から読み出された撮像信号をそのまま上記ＤＶ記録再生信号処理回路４に供給するようになっている。
【００２０】
また、上記ＤＶ記録再生信号処理回路４は、いわゆるデジタルビデオ（degital videl;DV）規格の情報信号に対する記録再生に関する信号処理を行う。さらに、上記記録再生部５は、ＤＶ記録再生信号処理回路４からの情報信号を記録媒体に記録し、また、上記記録媒体から情報信号を再生して上記ＤＶ記録再生信号処理回路４に供給する。上記磁気記録媒体としては、例えばテープ上の媒体に情報信号が残留磁化として記録される磁気テープが用いられる。
【００２１】
また、上記表示部６は、上記ＤＶ記録再生信号処理回路４を介して記録再生される情報信号を表示するものである。
【００２２】
また、上記圧縮伸長回路７は、ＪＰＥＧ（joint photographic expert group）規格の静止画又はＭｏｔｉｏｎ  ＪＰＥＧ規格の動画像の符号化画像を画像信号に伸長したり、静止画あるいは動画像の画像信号を上記規格の符号化画像に圧縮する回路である。この圧縮伸長回路７は、Ｉ／Ｆ処理・画像ＭＩＸ回路３又はＰＣＭＣＩＡ  Ｉ／Ｏ／ＡＴＡ  Ｉ／Ｆ処理回路８からの画像信号又は符号化画像に対して上記処理を行う。
【００２３】
さらに、ＰＣＭＣＩＡ  Ｉ／Ｏ／ＡＴＡ  Ｉ／Ｆ８は、ＪＰＥＧ／Ｍｏｔｉｏｎ  ＪＰＥＧ圧縮伸長回路８とＰＣＭＣＩＡメモリカード１０の間のインターフェースを行う回路である。また、ＰＣＭＣＩＡコネクタ１２は、ＰＣＭＣＩＡ規格のコネクタである。
【００２４】
そして、このカムコーダ１００は、図７にカメラ本体１０１の外観斜視図を示してあるように、上記表示部６として電子ビューファインダ６Ａ及び液晶表示パネル６Ｂが上記カメラ本体１０１に設けられているとともに、上記操作ブロック１２として、ズーム操作レバー１２Ａ、動作モード切換レバー１２Ｂ、静止画撮影用操作ボタン１２Ｃ、コントロールダイヤル１２Ｄ、メニューボタン１２Ｅやデータコードボタン１２Ｆ等の各種設定操作ボタンが上記カメラ本体１０１に配設されている。
【００２５】
上記ズーム操作レバー１２Ａは、その操作位置に応じたズーム操作入力データを上記制御部１１に与える。そして、上記制御部１１は、上述の撮像部１の撮像レンズ２１のズーム駆動部を上記ズーム操作入力データに応じて制御する。
【００２６】
また、上記動作モード切換レバー１２Ｂは、図８に示すように、
ポジション１：ＶＴＲ
ポジション２：オフ
ポジション３：ＣＡＭ
ポジション４：メモリ
の４つの切換設定ポジションを有しており、各ポジションに対応した操作入力データを上記制御部１１に与える。また、上記静止画撮影用操作ボタン１２Ｃは、２段階で押圧され、１段階目の押圧ポジションと２段階目の押圧ポジションに対応した操作入力データを上記制御部１１に与える。そして、上記制御部１１は、上述の撮像部１、Ｉ／Ｆ処理・画像ＭＩＸ回路３、ＤＶ記録再生信号処理回路４、記録再生部５、圧縮伸長回路やＩ／Ｆ処理回路８等を上記操作入力データに応じて次のように制御する。
【００２７】
すなわち、このカムコーダ１００において、上記制御部１１は、上記動作モード切換レバー１２Ｂが上記ポジション１にあるときに、このカムコーダ１００をＶＴＲモードに設定する。ＶＴＲモードにおいて、上記制御部１１は、図示しないＶＴＲ操作ボタンの操作入力を受け付けて、その操作入力に応じて上記記録再生部５の制御を行い、例えば再生ボタン操作されれば上記記録再生部５による再生を開始する。
【００２８】
また、上記制御部１１は、上記動作モード切換レバー１２Ｂが上記ポジション２にあるときに、このカムコーダ１００を動作停止状態にする。
【００２９】
また、上記制御部１１は、上記動作モード切換レバー１２Ｂが上記ポジション３にあるときに、このカムコーダ１００をカメラモードに設定する。カメラモードにおいて、上記制御部１１は、上記撮像部１を作動させて、撮像信号による画像を上記表示部６すなわち電子ビューファインダ６Ａ又は液晶表示パネル６Ｂに表示させる。そして、この撮像スタンバイ状態でスタート／ストップボタン１２Ｇの操作入力を受け付けると、上記記録再生部５による記録を開始し、再び上記スタート／ストップボタン１２Ｇの操作入力を受け付けると記録を終了して撮像スタンバイ状態に戻る。
【００３０】
また、上記制御部１１は、このカメラモードにおいて、上記静止画撮影用操作ボタン１２Ｃの押圧操作による操作入力データを受け付ける。撮像スタンバイ状態で上記静止画撮影用操作ボタン１２Ｃの押圧操作による操作入力データを受け付けた場合には、上記静止画撮影用操作ボタン１２Ｃの１段階目の押圧ポジションにおいて、上記撮像部１により得られた撮像信号を静止画としてキャプチャし、上記表示部６に表示し、さらに、上記静止画撮影用操作ボタン１２Ｃの２段階目の押圧ポジションまで押圧されたときに、上記キャプチャした静止画を上記記録再生部５により所定時間（この例では７秒間）記録する。なお、記録中の音声も上記記録再生部５により記録される。また、上記静止画撮影用操作ボタン１２Ｃを２段階目の押圧ポジションまで押圧せずに、押圧を解除すれば、上記記録再生部５により記録する静止画を選び直すことができる。さらに、カメラ録画中に上記静止画撮影用操作ボタン１２Ｃが押圧操作された場合には、上記制御部１１は、その時の画像を静止画として上記記録再生部５により所定時間（この例では７秒間）記録し、記録終了後に撮像スタンバイ状態に戻る。
【００３１】
また、上記制御部１１は、上記動作モード切換レバー１２Ｂが上記ポジション４にあるときに、このカムコーダ１００をメモリモードに設定する。
【００３２】
上記制御部１１は、このメモリモードにおいて、上記撮像部１の動作モードを全画素読み出しモードに強制的に切り換える。そして、上記制御部１１は、このメモリモードにおいて、上記静止画撮影用操作ボタン１２Ｃの押圧操作による操作入力データを受け付けると、上記静止画撮影用操作ボタン１２Ｃの１段階目の押圧ポジションにおいて、上記撮像部１によりプログレススキャン信号として得られた撮像信号をキャプチャし、上記表示部６に表示し、さらに、上記静止画撮影用操作ボタン１２Ｃの２段階目の押圧ポジションまで押圧されたときに、上記キャプチャした静止画を上記メモリカード１０に記録する。なお、上記静止画撮影用操作ボタン１２Ｃを２段階目の押圧ポジションまで押圧せずに、押圧を解除すれば、上記メモリカード１０に記録する静止画を選び直すことができる。
【００３３】
上記カメラモードにおける全画素読み出しモードの設定は、上記カメラ本体１０１に配設されているメニューボタン１２Ｅを撮影スタンバイ状態で押すことにより、メニュー画面を表示部６に出し、コントロールダイヤル１２Ｄを回して、図９（Ａ），（Ｂ）に示すようにプログレッシブを「切」の状態から「入」の状態に切り換えることにより実行することができる。
【００３４】
このような構成のカムコーダ１００では、上記撮像部１のＣＣＤイメージセンサ２３により全画素読み出しモードでプログレススキャン信号として得られる撮像信号は、インターレース信号に対応する表示部６では直接表示することができないので、上記Ｉ／Ｆ処理・画像ＭＩＸ回路３によりプログレススキャン信号からインターレース信号に変換して上記表示部６で表示する。また、このカムコーダ１００では、上記カメラモードにおいて、上記撮像部１の動作モードを全画素読み出しモードに切り換えて撮像動作を行い、上記撮像部１によりプログレススキャン信号として得られる高画質の撮像信号を上記Ｉ／Ｆ処理・画像ＭＩＸ回路３によりインターレース信号に変換して上記記録再生部５により磁気テープに記録する。上記記録再生部５は、磁気テープを記録媒体とする記録手段であるから記録容量の制限がほとんどなく、上記撮像部１により全画素読み出しモードでプログレススキャン信号として得られる高画質の撮像信号による静止画を磁気テープに連続的に記録することができる。
【００３５】
すなわち、このカムコーダ１００は、その要部構成を図１０に示すように、インターレース読み出しモードと全画素読み出しモードとに動作モードを切り換えて撮像信号を出力可能なＣＣＤイメージセンサ２３と、上記ＣＣＤイメージセンサ２３から撮像信号が供給されるカメラ信号処理回路２４と、上記カメラ信号処理回路２４から撮像信号が供給され、上記ＣＣＤイメージセンサ２３から全画素読み出しモードで読み出された撮像信号をインターレース信号に変換する走査変換部３Ａ、上記カメラ信号処理回路２４又は走査変換部３Ａから供給される撮像信号を記録媒体に記録する記録再生部５、上記ＣＣＤイメージセンサ２３の動作モードとともに上記記録再生部５への入力を切り換えるスイッチ３Ｂを備え、上記記録再生部５において、上記ＣＣＤイメージセンサ２３からインターレース読み出しモードで読み出された撮像信号はカメラ信号処理回路２４を介してそのまま記録媒体に記録し、上記ＣＣＤイメージセンサ２３から全画素読み出しモードで読み出された撮像信号は上記走査変換部３Ａによりインターレース信号に変換して記録媒体に記録するようになっている。なお、上記走査変換部３Ａ及びスイッチ３Ｂの機能は上記Ｉ／Ｆ処理・画像ＭＩＸ回路３により実現されている。
【００３６】
【発明の効果】
以上のように、本発明では、第１の記録モードにおいて、固体イメージセンサの動作モードの切り換え及び第１の記録手段への入力の切り換えを制御することにより、上記固体イメージセンサからインターレース読み出しモードで読み出された撮像信号は走査変換手段を介することなく第１の記録媒体に記録し、上記固体イメージセンサから全画素読み出しモードで読み出された撮像信号は上記走査変換手段によりインターレース信号に変換して上記第１の記録媒体に記録し、記録モード設定手段により第２の記録モードが設定されると、制御手段は、上記固体イメージセンサの動作モードを強制的に全画素読み出しモードに設定し、第２の記録モードにおいて、上記固体イメージセンサから全画素読み出しモードで読み出された撮像信号は上記走査変換手段を介することなく第２の記録媒体に記録するので、第１の記録媒体にはインターレース変換して記録し、第２の記録媒体には全画素読出しされた画像を高画質のまま記録することができる。
【図面の簡単な説明】
【図１】本発明を適用したカムコーダの構成を示すブロック図である。
【図２】上記カムコーダの撮像部の概略構成を示すブロック図である。
【図３】上記撮像部のＣＣＤイメージセンサの構造を模式的に示す平面図である。
【図４】上記ＣＣＤイメージセンサの全画素読み出しモードでの撮像動作を示すタイムチャートである。
【図５】上記ＣＣＤイメージセンサのインターレース読み出しモードでの撮像動作を示すタイムチャートである。
【図６】上記カムコーダにおける走査変換の機能を示すタイムチャートである。
【図７】上記カムコーダの外観斜視図である。
【図８】上記カムコーダに設けられた動作モード切換レバーの各切換ポジションを示す図である。
【図９】上記カムコーダのカメラモードにおける全画素読み出しモードの設定について説明するための図である。
【図１０】上記カムコーダの要部構成を示すブロック図である。
【符号の説明】
１  撮像部、３  Ｉ／Ｆ処理・画像ＭＩＸ回路、４  ＤＶ記録再生信号処理回路、５  記録再生部、６  表示部、７  圧縮伸張処理回路、８  ＰＣＭＣＩＡ  Ｉ／Ｏ／ＡＴＡ  Ｉ／Ｆ処理回路、９  ＰＣＭＣＩＡコネクタ、１０  ＰＣＭＣＩＡメモリカード、１１  制御部、１２  操作ブロック
【図１】
0004536173.tif 000002
【図２】
0004536173.tif 000003
【図３】
0004536173.tif 000004
【図４】
0004536173.tif 000005
【図５】
0004536173.tif 000006
【図６】
0004536173.tif 000007
【図７】
0004536173.tif 000008
【図８】
0004536173.tif 000009
【図９】
0004536173.tif 000010
【図１０】
0004536173.tif 000011